(57)【特許請求の範囲】
【請求項１】
物体側から順に、負の屈折力の第１レンズ群及び正の屈折力の第２レンズ群からなり、短焦点距離端から長焦点距離端への変倍に際し、第１レンズ群と第２レンズ群が互いの間隔が減少するように移動するズームレンズ系において、
第１レンズ群は、物体側から順に、負の屈折力の第１ａレンズ群及び正の屈折力の第１ｂレンズ群からなり、この第１ｂレンズ群は、フォーカシング時に移動するフォーカスレンズ群であること；
第１ａレンズ群は、像側に凹の３枚の負レンズからなること；及び
次の条件式（３）を満足すること；
を特徴とするズームレンズ系。
（３）−３．５＜ｆＬ１／（ｆＬ２・ｆＬ３）1/2＜−１．０
但し、
ｆＬｎ：第１ａレンズ群中の物体側からｉ番目の負レンズの焦点距離（ｉ＝１、２、３）。
【請求項２】
請求項１記載のズームレンズ系において、第１ｂレンズ群は正単レンズからなるズームレンズ系。
【請求項３】
請求項２記載のズームレンズ系において、次の条件式（１）を満足するズームレンズ系。
（１）−１＜ＳＦ＜０
但し、
ＳＦ＝（ｂｒ１−ｂｒ２）／（ｂｒ１＋ｂｒ２）
ｂｒ１：第１ｂレンズの正単レンズの物体側の面の曲率半径、
ｂｒ２：第１ｂレンズの正単レンズの像側の面の曲率半径。
【請求項４】
請求項１ないし３のいずれか１項記載のズームレンズ系において、次の条件式（２）を満足するズームレンズ系。
（２）−５．０＜ｆ１ｂ／ｆ１ａ＜−３．５
但し、
ｆ１ｂ：第１ｂレンズ群の焦点距離、
ｆ１ａ：第１ａレンズ群の焦点距離。
【請求項５】
請求項１ないし４のいずれか１項記載のズームレンズ系において、第１ａレンズ群中の３枚の負レンズのいずれかに非球面が含まれているズームレンズ系。
【請求項６】
請求項５記載のズームレンズ系において、第１ａレンズ群中の最も物体側の負レンズは、ガラスレンズの像側の面に合成樹脂材料による非球面層が接着形成されたハイブリッドレンズであるズームレンズ系。
【請求項７】
請求項５記載のズームレンズ系において、第１ａレンズ群中の物体側から２番目の負レンズは、少なくとも１面が非球面であるズームレンズ系。
【請求項８】
請求項１ないし７のいずれか１項記載のズームレンズ系において、第１レンズ群中、第２レンズ群中にそれぞれ少なくとも１枚の非球面レンズが含まれているズームレンズ系。
【請求項９】
請求項１ないし８のいずれか１項記載のズームレンズ系において、第２レンズ群は、少なくとも３枚の正レンズを有するズームレンズ系。
【請求項１０】
請求項１ないし９のいずれか１項記載のズームレンズ系において、無限遠物体合焦状態における短焦点距離端から長焦点距離端への変倍に際し、第１ａレンズ群と第１ｂレンズ群の空気間隔が不変であるズームレンズ系。
【請求項１１】
請求項１ないし１０のいずれか１項記載のズームレンズ系において、第１レンズ群と第２レンズ群の間に絞りが位置しているズームレンズ系。
【請求項１２】
請求項１ないし１１のいずれか１項記載のズームレンズ系によって形成される像を電気的信号に変換する撮像素子を備えたことを特徴とする光学機器。
【発明の詳細な説明】
【技術分野】
【０００１】
本発明は、デジタルカメラ等の光学機器に用いて好適なズームレンズ系に関する。
【背景技術】
【０００２】
近年、デジタルカメラ等の光学機器に用いられるズームレンズ系には、よりコンパクトで高性能であることが求められている。フォーカス機構系の小型化と迅速なフォーカシングの要望も強い。
【０００３】
ズームレンズ系として、物体側から順に、負の屈折力の第１レンズ群と正の屈折力の第２レンズ群からなるタイプのものが知られている。このレンズタイプのフォーカシング方式としては、第１レンズ群の全体を移動させてフォーカシングを行う、いわゆるフロントフォーカシング方式が一般的である。
【０００４】
しかしこのフロントフォーカシング方式では、フォーカスレンズ群である第１レンズ群の重量が大きいと（第１レンズ群のレンズ枚数が多いと）、フォーカス機構系であるモータやアクチュエータが大型化する。このため、鏡筒を含むレンズの最大径が大きくなってレンズ全系が大型化する。
【０００５】
特許文献１では、負の屈折力の第１レンズ群と正の屈折力の第２レンズ群からなるズームレンズ系において、第１レンズ群中の像側の２枚のレンズをフォーカスレンズとしている。
【０００６】
しかし、フォーカス機構系であるモータやアクチュエータへの負担は依然として大きく、迅速なフォーカシングに十分に対応しているとは言えない。
【先行技術文献】
【特許文献】
【０００７】
【特許文献１】特開２００４−９３５９３号公報
【発明の概要】
【発明が解決しようとする課題】
【０００８】
本発明は、以上の問題意識に基づいて完成されたものであり、フォーカス機構系の小型化と迅速なフォーカシングを達成でき、コンパクトで優れた光学性能を持つズームレンズ系及びこれを用いた光学機器を得ることを目的とする。
【課題を解決するための手段】
【０００９】
本発明のズームレンズ系は、物体側から順に、負の屈折力の第１レンズ群及び正の屈折力の第２レンズ群からなり、短焦点距離端から長焦点距離端への変倍に際し、第１レンズ群と第２レンズ群が互いの間隔が減少するように移動するズームレンズ系において、第１レンズ群は、物体側から順に、負の屈折力の第１ａレンズ群及び正の屈折力の第１ｂレンズ群からなり、この第１ｂレンズ群は、フォーカシング時に移動するフォーカスレンズ群であること；第１ａレンズ群は、像側に凹の３枚の負レンズからなること；及び次の条件式（３）を満足すること；を特徴としている。
（３）−３．５＜ｆＬ１／（ｆＬ２・ｆＬ３）1/2＜−１．０
但し、
ｆＬｎ：第１ａレンズ群中の物体側からｉ番目の負レンズの焦点距離（ｉ＝１、２、３）［mm］、
である。
【００１０】
さらなるフォーカス機構系の小型化と迅速なフォーカシングのためには、第１ｂレンズ群を正単レンズで構成することが好ましい。
【００１１】
本発明のズームレンズ系は、第１ｂレンズ群を正単レンズで構成した上で、次の条件式（１）を満足することが好ましい。
（１）−１＜ＳＦ＜０
但し、
ＳＦ＝（ｂｒ１−ｂｒ２）／（ｂｒ１＋ｂｒ２）
ｂｒ１：第１ｂレンズの正単レンズの物体側の面の曲率半径[mm]、
ｂｒ２：第１ｂレンズの正単レンズの像側の面の曲率半径[mm]、
である。
【００１２】
本発明のズームレンズ系は、条件式（１）の条件式範囲の中でも、次の条件式（１’）を満足することがより好ましい。
（１’）−０．８５＜ＳＦ＜−０．４０
【００１３】
本発明のズームレンズ系は、次の条件式（２）を満足することが好ましい。
（２）−５．０＜ｆ１ｂ／ｆ１ａ＜−３．５
但し、
ｆ１ｂ：第１ｂレンズ群の焦点距離[mm]、
ｆ１ａ：第１ａレンズ群の焦点距離[mm]、
である。
【００１６】
諸収差を良好に補正するためには、第１ａレンズ群中の３枚の負レンズのいずれかに非球面を含ませることが好ましい。
例えば、第１ａレンズ群中の最も物体側の負レンズを、ガラスレンズの像側の面に合成樹脂材料による非球面層が接着形成されたハイブリッドレンズとすることができる。
あるいは、第１ａレンズ群中の物体側から２番目の負レンズの少なくとも１面を非球面とすることもできる。
【００１７】
諸収差を良好に補正するためには、第１レンズ群中、第２レンズ群中にそれぞれ少なくとも１枚の非球面レンズを含ませることが好ましい。
【００１８】
第２レンズ群には少なくとも３枚の正レンズを含ませることが好ましい。
【００１９】
本発明のズームレンズ系は、無限遠物体合焦状態における短焦点距離端から長焦点距離端への変倍に際し、第１ａレンズ群と第１ｂレンズ群の空気間隔を不変（変倍に際して第１ａレンズ群と第１ｂレンズ群が一体に移動）としている。
【００２０】
絞りは第１レンズ群と第２レンズ群の間に位置させるのが実際的である。
【００２１】
本発明の光学機器は、上述したいずれかのズームレンズ系によって形成される像を電気的信号に変換する撮像素子を備えたことを特徴としている。
【発明の効果】
【００２２】
本発明によれば、フォーカス機構系の小型化と迅速なフォーカシングを達成でき、コンパクトで優れた光学性能を持つズームレンズ系及びこれを用いた光学機器が得られる。
【図面の簡単な説明】
【００２３】
【図１】本発明によるズームレンズ系の数値実施例１の長焦点距離端における無限遠合焦時のレンズ構成図である。
【図２】図１の構成における縦収差図である。
【図３】図１の構成における横収差図である。
【図４】同数値実施例１の短焦点距離端における無限遠合焦時のレンズ構成図である。
【図５】図４の構成における縦収差図である。
【図６】図４の構成における横収差図である。
【図７】本発明によるズームレンズ系の数値実施例２の長焦点距離端における無限遠合焦時のレンズ構成図である。
【図８】図７の構成における縦収差図である。
【図９】図７の構成における横収差図である。
【図１０】同数値実施例２の短焦点距離端における無限遠合焦時のレンズ構成図である。
【図１１】図１０の構成における縦収差図である。
【図１２】図１０の構成における横収差図である。
【図１３】本発明によるズームレンズ系の数値実施例３の長焦点距離端における無限遠合焦時のレンズ構成図である。
【図１４】図１３の構成における縦収差図である。
【図１５】図１３の構成における横収差図である。
【図１６】同数値実施例３の短焦点距離端における無限遠合焦時のレンズ構成図である。
【図１７】図１６の構成における縦収差図である。
【図１８】図１６の構成における横収差図である。
【図１９】本発明によるズームレンズ系の数値実施例４の長焦点距離端における無限遠合焦時のレンズ構成図である。
【図２０】図１９の構成における縦収差図である。
【図２１】図１９の構成における横収差図である。
【図２２】同数値実施例４の短焦点距離端における無限遠合焦時のレンズ構成図である。
【図２３】図２２の構成における縦収差図である。
【図２４】図２２の構成における横収差図である。
【図２５】本発明によるズームレンズ系の数値実施例５の長焦点距離端における無限遠合焦時のレンズ構成図である。
【図２６】図２５の構成における縦収差図である。
【図２７】図２５の構成における横収差図である。
【図２８】同数値実施例５の短焦点距離端における無限遠合焦時のレンズ構成図である。
【図２９】図２８の構成における縦収差図である。
【図３０】図２８の構成における横収差図である。
【図３１】本発明によるズームレンズ系の数値実施例６の長焦点距離端における無限遠合焦時のレンズ構成図である。
【図３２】図３１の構成における縦収差図である。
【図３３】図３１の構成における横収差図である。
【図３４】同数値実施例６の短焦点距離端における無限遠合焦時のレンズ構成図である。
【図３５】図３４の構成における縦収差図である。
【図３６】図３４の構成における横収差図である。
【図３７】本発明によるズームレンズ系の数値実施例７の長焦点距離端における無限遠合焦時のレンズ構成図である。
【図３８】図３７の構成における縦収差図である。
【図３９】図３７の構成における横収差図である。
【図４０】同数値実施例７の短焦点距離端における無限遠合焦時のレンズ構成図である。
【図４１】図４０の構成における縦収差図である。
【図４２】図４０の構成における横収差図である。
【図４３】本発明によるズームレンズ系の数値実施例８の長焦点距離端における無限遠合焦時のレンズ構成図である。
【図４４】図４３の構成における縦収差図である。
【図４５】図４３の構成における横収差図である。
【図４６】同数値実施例８の短焦点距離端における無限遠合焦時のレンズ構成図である。
【図４７】図４６の構成における縦収差図である。
【図４８】図４６の構成における横収差図である。
【図４９】本発明によるズームレンズ系の数値実施例９の長焦点距離端における無限遠合焦時のレンズ構成図である。
【図５０】図４９の構成における縦収差図である。
【図５１】図４９の構成における横収差図である。
【図５２】同数値実施例９の短焦点距離端における無限遠合焦時のレンズ構成図である。
【図５３】図５２の構成における縦収差図である。
【図５４】図５２の構成における横収差図である。
【図５５】本発明によるズームレンズ系のズーム軌跡を示す簡易移動図である。
【発明を実施するための形態】
【００２４】
本実施形態のズームレンズ系は、図５５の簡易移動図に示すように、物体側から順に、負の屈折力の第１レンズ群Ｇ１、及び正の屈折力の第２レンズ群Ｇ２からなる。第１レンズ群Ｇ１は、物体側から順に、負の屈折力の第１ａレンズ群Ｇ１ａ、及び正の屈折力の第１ｂレンズ群Ｇ１ｂからなる。第１ｂレンズ群Ｇ１ｂ（第１レンズ群Ｇ１）と第２レンズ群Ｇ２の間に位置する絞りＳは、第２レンズ群Ｇ２と一体に移動する。Ｉは像面である。
【００２５】
このズームレンズ系は、短焦点距離端（Ｗ）から長焦点距離端（Ｔ）への変倍（ズーミング）に際し、第１レンズ群Ｇ１と第２レンズ群Ｇ２が互いの間隔が減少するように移動する。短焦点距離端（Ｗ）から長焦点距離端（Ｔ）への変倍（ズーミング）に際し、第１ａレンズ群Ｇ１ａと第１ｂレンズ群Ｇ１ｂの空気間隔は不変である（第１ａレンズ群Ｇ１ａと第１ｂレンズ群Ｇ１ｂが一体に移動する）。
より具体的には、短焦点距離端（Ｗ）から長焦点距離端（Ｔ）への変倍（ズーミング）に際し、第１レンズ群Ｇ１（第１ａレンズ群Ｇ１ａと第１ｂレンズ群Ｇ１ｂ）は一旦像側に移動してから若干量だけ物体側に戻り（結果として像側に移動し）、第２レンズ群Ｇ２は単調に物体側に移動する。
【００２６】
第１ａレンズ群Ｇ１ａは、全数値実施例１−９を通じて、３枚の負レンズ（像側に凹の負レンズ）１１、１２、１３からなる。最も物体側の負レンズ１１は、数値実施例１−６、８、９では、ガラスレンズの像側の面に合成樹脂材料による非球面層が接着形成されたハイブリッドレンズであり、数値実施例７では球面レンズである（ハイブリッドレンズではない）。物体側から２番目の負レンズ１２は、数値実施例１−６、８、９では球面レンズであり、数値実施例７ではその両面が非球面である。
【００２７】
第１ｂレンズ群Ｇ１ｂは、全数値実施例１−９を通じて、正単レンズ１４からなる。正単レンズ１４（第１ｂレンズ群Ｇ１ｂ）は、フォーカシング時に移動するフォーカスレンズ（フォーカスレンズ群）である。つまり、無限遠物体から有限距離物体へ合焦させるに際し、正単レンズ１４（第１ｂレンズ群Ｇ１ｂ）を像側に移動してフォーカシングを行う。
【００２８】
第２レンズ群Ｇ２は、数値実施例１−６、８では、物体側から順に、正レンズ２１、物体側から順に位置する正レンズ２２と負レンズ２３の接合レンズ、及び正レンズ２４の４枚のレンズからなる。正レンズ２１と正レンズ２４はともにその両面が非球面である。
第２レンズ群Ｇ２は、数値実施例７、９では、物体側から順に、正レンズ２１’、正レンズ２２’、物体側から順に位置する正レンズ２３’と負レンズ２４’の接合レンズ、及び正レンズ２５’の５枚のレンズからなる。正レンズ２２’と正レンズ２５’はともにその両面が非球面である。
【００２９】
本実施形態では、歪曲収差の発生を抑えながら負の屈折力を得るために、第１レンズ群Ｇ１を、３枚の負レンズ（像側に凹の負レンズ）１１、１２、１３からなる第１ａレンズ群Ｇ１ａと、正単レンズ１４からなる第１ｂレンズ群Ｇ１ｂとで構成している。
【００３０】
歪曲収差を抑えるためには第１レンズ群の最も物体側に正レンズ（物体側に凸の正レンズ）を配置するのが効果的である。しかし最も物体側に正レンズ（物体側に凸の正レンズ）を配置すると、第１レンズ群の最大径が大きくなりすぎてレンズ全系が大型化してしまう。
そこで本実施形態では、第１ａレンズ群Ｇ１ａを３枚の負レンズ１１、１２、１３で構成した上で、第１ａレンズ群Ｇ１ａ中に非球面レンズを含ませることで、第１レンズ群Ｇ１の大径化を防止するとともに、歪曲収差の発生を抑えることに成功している。
【００３１】
第１ａレンズ群Ｇ１ａ中の非球面レンズの配置は、製造コストの観点からは、レンズ径が最も小さい最も像側のレンズ（負レンズ１３）とした方が良いが、その反面、レンズ径が小さいと収差補正が不十分となるという欠点がある。
そこで本実施形態では、第１ａレンズ群Ｇ１ａ中の最も物体側の負レンズ１１または物体側から２番目の負レンズ１２を非球面レンズとして良好な収差補正を実現している。最も物体側の負レンズ１１を非球面レンズとする場合は、製造コストを考慮すると、ガラスレンズに合成樹脂材料による非球面層を接着形成したハイブリッドレンズとすることが好ましい。また第１ａレンズ群Ｇ１ａ中に含ませる非球面を、近軸球面に比して、光軸から離れるに従って負の屈折力を弱める（正の屈折力を強める）性質とすれば、その非球面で正の歪曲収差を発生させて、第１レンズ群Ｇ１で発生が顕著である負の歪曲収差を良好に補正することができる。
【００３２】
第１ｂレンズ群Ｇ１ｂの正単レンズ１４は、フォーカシング時に移動するフォーカスレンズであり、フォーカシング時に歪曲収差、球面収差、コマ収差が変動するのを防止する作用を持つ。フォーカスレンズを正単レンズ１４で構成することで、フォーカスレンズを軽量化してフォーカス機構系であるモータやアクチュエータを小型化することができる。このため、鏡筒を含むレンズの最大径を小さくしてレンズ全系をコンパクト化することができる。さらに迅速なフォーカシングも可能になる。
正単レンズ１４の形状は、物体側に凸面を向けたメニスカス形状にすると、短焦点距離端での軸外の非点収差を良好に補正することができる。
【００３３】
本実施形態では、第２レンズ群Ｇ２中に負の球面収差を発生させる少なくとも１枚の負レンズ（負レンズ２３または負レンズ２４’）を含ませることで、軸外収差に与える影響を小さく保ったまま全系で発生する球面収差を良好に補正している。また、第２レンズ群Ｇ２中に少なくとも３枚の正レンズ（正レンズ２１、２２、２４または正レンズ２１’、２２’、２３’、２５’）を含ませることで、球面収差やコマ収差の発生を抑えている。さらに第２レンズ群Ｇ２中の負レンズを他の正レンズと接合する（正レンズ２２と負レンズ２３または正レンズ２３’と負レンズ２４’を接合する）ことで高次の球面収差を良好に補正している。
【００３４】
条件式（１）及び（１’）は、フォーカスレンズ群である第１ｂレンズ群Ｇ１ｂを正単レンズ１４で構成したとき、この正単レンズ１４のシェーピングファクター（形状）を規定している。正単レンズ１４を、条件式（１）及び（１’）を満足するような物体側に凸の正メニスカス形状とすることで、短焦点距離端での軸外の非点収差を良好に補正し、フォーカシング時におけるコマ収差、非点収差、像面湾曲を良好に補正し、フォーカシングに際する全系の収差変動を良好なバランスに維持することができる。
条件式（１）の上限を超えると、フォーカスレンズである正単レンズ１４の物体側の面と像側の面の曲率半径の差がなくなり、フォーカシング時におけるコマ収差の変動を抑えるのが困難になる。
条件式（１）の下限を超えると、フォーカスレンズである正単レンズ１４が物体側に凸の平凸正レンズとなり、フォーカシング時における非点収差の変動を抑えるのが困難になる。また像面湾曲が補正不足（アンダー）になる。
【００３５】
条件式（２）は、フォーカスレンズ群である第１ｂレンズ群Ｇ１ｂの焦点距離と、第１ａレンズ群Ｇ１ａの焦点距離との比を規定している。条件式（２）を満足することで、球面収差、コマ収差、歪曲収差、非点収差などの諸収差を良好に補正することができる。
条件式（２）の上限を超えると、フォーカスレンズ群である第１ｂレンズ群Ｇ１ｂのパワーが強くなりすぎて、近距離への移動量が減るという利点はあるが、長焦点距離端での球面収差、コマ収差の補正が困難になる。
条件式（２）の下限を超えると、第１ａレンズ群Ｇ１ａのパワーが強くなりすぎて、歪曲収差、非点収差の補正が困難になる。
【００３６】
条件式（３）は、第１ａレンズ群Ｇ１ａ中の３枚の負レンズ１１、１２、１３のパワーバランスを規定している。条件式（３）を満足することで、第１レンズ群Ｇ１の径を小さくしてレンズ全系をコンパクト化し、硝材をコストダウンし、短焦点距離端での非点収差や歪曲収差を良好に補正することができる。
条件式（３）の上限を超えると、第１ａレンズ群Ｇ１ａ中の負レンズ１１のパワーが強くなりすぎて、負レンズ１１の曲率半径が小さくなって硝材のコストアップに繋がる。また短焦点距離端での非点収差の補正が困難になる。
条件式（３）の下限を超えると、第１ａレンズ群Ｇ１ａ中の負レンズ１１のパワーが弱くなりすぎて、第１レンズ群Ｇ１が大径化することによりレンズ全系が大型化する。また短焦点距離端での歪曲収差の補正が困難になる。
【実施例】
【００３７】
次に具体的な数値実施例１−９を示す。縦収差図及び横収差図並びに表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、rは曲率半径、ｄはレンズ厚またはレンズ間隔、N(d)はｄ線に対する屈折率、νｄはｄ線に対するアッベ数、「E-a」は「×10-a」を示す。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数、ｘはサグ量）
【００３８】
［数値実施例１］
図１〜図６と表１〜表４は、本発明によるズームレンズ系の数値実施例１を示している。図１は長焦点距離端における無限遠合焦時のレンズ構成図、図２はその縦収差図、図３はその横収差図であり、図４は短焦点距離端における無限遠合焦時のレンズ構成図、図５はその縦収差図、図６はその横収差図である。表１は面データ、表２は各種データ、表３は非球面データ、表４はレンズ群データである。
【００３９】
本数値実施例１のズームレンズ系は、物体側から順に、負の屈折力の第１レンズ群Ｇ１、及び正の屈折力の第２レンズ群Ｇ２からなる。
【００４０】
第１レンズ群Ｇ１は、物体側から順に、負の屈折力の第１ａレンズ群Ｇ１ａ、及び正の屈折力の第１ｂレンズ群Ｇ１ｂからなる。
【００４１】
第１ａレンズ群Ｇ１ａは、物体側から順に、物体側に凸の負メニスカスレンズ１１、物体側に凸の負メニスカスレンズ１２、及び物体側に凸の負メニスカスレンズ１３からなる。最も物体側の負メニスカスレンズ１１は、ガラスレンズの像側の面に合成樹脂材料による非球面層が接着形成されたハイブリッドレンズである。
【００４２】
第１ｂレンズ群Ｇ１ｂは、物体側に凸の正メニスカス単レンズ１４からなる。正メニスカス単レンズ１４（第１ｂレンズ群Ｇ１ｂ）は、フォーカシング時に移動するフォーカスレンズ（フォーカスレンズ群）である。つまり、無限遠物体から有限距離物体へ合焦させるに際し、正メニスカス単レンズ１４（第１ｂレンズ群Ｇ１ｂ）を像側に移動してフォーカシングを行う。
【００４３】
第２レンズ群Ｇ２は、物体側から順に、両凸正レンズ２１、物体側から順に位置する両凸正レンズ２２と両凹負レンズ２３の接合レンズ、及び両凸正レンズ２４からなる。両凸正レンズ２１と両凸正レンズ２４はともにその両面が非球面である。第１ｂレンズ群Ｇ１ｂ（第１レンズ群Ｇ１）と第２レンズ群Ｇ２の間に位置する絞りＳは、第２レンズ群Ｇ２と一体に移動する。第２レンズ群Ｇ２（両凸正レンズ２４）の後方（像面Ｉとの間）には、光学フィルタＯＰとカバーガラスＣＧが配置されている。
【００４４】
（表１）
面データ
面番号          r          d          N(d)        νｄ
1            26.218      1.637      1.69680       55.5
2            13.873      0.177      1.52972       42.7
3*           12.067      1.000
4            16.556      1.200      1.77250       49.6
5             8.739      3.611
6           520.355      1.200      1.77251       49.6
7            15.115      4.435
8            20.342      2.243      1.84666       23.8
9            56.198        d9
10絞           ∞        1.000
11*           7.708      5.800      1.49842       76.7
12*         -34.307      0.304
13           11.901      2.747      1.49700       81.6
14          -14.016      1.000      1.83400       37.3
15            9.400      0.435
16*          17.216      2.266      1.55332       71.7
17*         -24.807       d17
18             ∞        0.500      1.51633       64.1
19             ∞        0.620
20             ∞        0.500      1.51633       64.1
21             ∞          -
＊は回転対称非球面である。
（表２）
各種データ
ズーム比（変倍比）    2.89
短焦点距離端          中間焦点距離          長焦点距離端
FNO.            2.8                   3.7                   4.6
f              5.14                 10.01                 14.83
W              46.1                  25.4                  17.5
Y              4.65                  4.65                  4.65
fB             0.53                  0.53                  0.53
L             62.05                 52.14                 52.33
d9           21.817                 6.354                 1.049
d17           9.026                14.577                20.071
（表３）
非球面データ（表示していない非球面係数は0.00である）
面番号   K            A4             A6             A8
3      0.000    -0.6937E-04    -0.1141E-06    -0.4468E-08
11     0.000    -0.8088E-04    -0.1122E-05
12     0.000     0.3633E-03    -0.7727E-05     0.2257E-06
16     0.000     0.6590E-03    -0.1992E-04
17     0.000     0.7315E-03     0.2868E-05
（表４）
レンズ群データ
群          始面          焦点距離
1              1            -11.97
2             11             13.65
【００４５】
［数値実施例２］
図７〜図１２と表５〜表８は、本発明によるズームレンズ系の数値実施例２を示している。図７は長焦点距離端における無限遠合焦時のレンズ構成図、図８はその縦収差図、図９はその横収差図であり、図１０は短焦点距離端における無限遠合焦時のレンズ構成図、図１１はその縦収差図、図１２はその横収差図である。表５は面データ、表６は各種データ、表７は非球面データ、表８はレンズ群データである。
【００４６】
この数値実施例２のレンズ構成は、数値実施例１のレンズ構成と同様である。
【００４７】
（表５）
面データ
面番号          r          d          N(d)        νｄ
1            20.575      1.637      1.77250       49.6
2            15.231      0.200      1.52972       42.7
3*           12.272      1.887
4            21.964      1.200      1.80420       46.5
5             8.675      3.450
6           694.331      1.200      1.77250       49.6
7            12.094      2.516
8            15.943      2.621      1.84666       23.8
9            69.080        d9
10絞           ∞        1.000
11*           7.995      4.961      1.49700       81.6
12*         -33.582      0.257
13           14.582      2.184      1.49700       81.6
14          -16.807      2.020      1.83400       37.3
15           10.520      0.353
16*          15.493      3.012      1.55332       71.7
17*         -22.403       d17
18             ∞        0.500      1.51633       64.1
19             ∞        0.620
20             ∞        0.500      1.51633       64.1
21             ∞          -
＊は回転対称非球面である。
（表６）
各種データ
ズーム比（変倍比）    2.90
短焦点距離端          中間焦点距離          長焦点距離端
FNO.            2.8                   3.7                   4.5
f              5.14                 10.00                 14.91
W              46.2                  25.5                  17.5
Y              4.65                  4.65                  4.65
fB             0.53                  0.53                  0.53
L             61.99                 53.19                 53.97
d9           21.697                 7.096                 2.015
d17           9.646                15.449                21.306
（表７）
非球面データ（表示していない非球面係数は0.00である）
面番号   K            A4             A6             A8
3      0.000    -0.5962E-04    -0.2397E-06    -0.3978E-08
11     0.000    -0.5955E-04    -0.8318E-06
12     0.000     0.3204E-03    -0.5790E-05     0.1556E-06
16     0.000     0.4113E-03    -0.1270E-04
17     0.000     0.5306E-03     0.4139E-05
（表８）
レンズ群データ
群          始面          焦点距離
1              1            -11.37
2             11             13.58
【００４８】
［数値実施例３］
図１３〜図１８と表９〜表１２は、本発明によるズームレンズ系の数値実施例３を示している。図１３は長焦点距離端における無限遠合焦時のレンズ構成図、図１４はその縦収差図、図１５はその横収差図であり、図１６は短焦点距離端における無限遠合焦時のレンズ構成図、図１７はその縦収差図、図１８はその横収差図である。表９は面データ、表１０は各種データ、表１１は非球面データ、表１２はレンズ群データである。
【００４９】
この数値実施例３のレンズ構成は、以下の点を除き、数値実施例１のレンズ構成と同様である。
（１）第１ａレンズ群Ｇ１ａの負レンズ１３が両凹負レンズである。
【００５０】
（表９）
面データ
面番号          r          d          N(d)        νｄ
1            19.363      1.637      1.77250       47.9
2            14.885      0.200      1.52972       42.7
3*           12.109      1.939
4            20.859      1.200      1.80400       41.0
5             8.493      3.654
6          -200.369      1.200      1.77250       49.6
7            11.922      2.311
8            15.842      2.696      1.84666       23.8
9            91.781        d9
10絞           ∞        1.000
11*           8.005      5.288      1.49700       81.6
12*         -33.215      0.296
13           14.374      2.222      1.49700       81.6
14          -15.861      2.020      1.83400       37.3
15           10.479      0.339
16*          15.281      2.726      1.55332       71.7
17*         -21.897       d17
18             ∞        0.500      1.51633       64.1
19             ∞        0.620
20             ∞        0.500      1.51633       64.1
21             ∞          -
＊は回転対称非球面である。
（表１０）
各種データ
ズーム比（変倍比）    2.90
短焦点距離端          中間焦点距離          長焦点距離端
FNO.            2.8                   3.7                   4.5
f              5.14                 10.00                 14.91
W              46.1                  25.5                  17.4
Y              4.65                  4.65                  4.65
fB             0.53                  0.53                  0.53
L             62.00                 53.32                 54.15
d9           21.564                 7.074                 2.039
d17           9.560                15.372                21.229
（表１１）
非球面データ（表示していない非球面係数は0.00である）
面番号   K            A4             A6             A8
3      0.000    -0.6380E-04    -0.1851E-06    -0.4616E-08
11     0.000    -0.6157E-04    -0.7887E-06
12     0.000     0.3298E-03    -0.5525E-05     0.1536E-06
16     0.000     0.4683E-03    -0.1224E-04
17     0.000     0.5678E-03     0.4558E-05
（表１２）
レンズ群データ
群          始面          焦点距離
1              1            -11.32
2             11             13.53
【００５１】
［数値実施例４］
図１９〜図２４と表１３〜表１６は、本発明によるズームレンズ系の数値実施例４を示している。図１９は長焦点距離端における無限遠合焦時のレンズ構成図、図２０はその縦収差図、図２１はその横収差図であり、図２２は短焦点距離端における無限遠合焦時のレンズ構成図、図２３はその縦収差図、図２４はその横収差図である。表１３は面データ、表１４は各種データ、表１５は非球面データ、表１６はレンズ群データである。
【００５２】
この数値実施例４のレンズ構成は、数値実施例１のレンズ構成と同様である。
【００５３】
（表１３）
面データ
面番号          r          d          N(d)        νｄ
1            31.880      1.637      1.69680       55.5
2            13.612      0.167      1.52972       42.7
3*           11.743      1.000
4            15.951      1.200      1.77250       49.6
5             8.904      3.415
6           173.586      1.200      1.77251       49.6
7            15.444      4.416
8            20.405      2.245      1.84666       23.8
9            56.532        d9
10絞           ∞        1.000
11*           7.694      5.814      1.49833       76.1
12*         -33.767      0.303
13           11.864      2.725      1.49700       81.6
14          -13.660      1.000      1.83400       37.3
15            9.319      0.438
16*          17.172      2.288      1.55332       71.7
17*         -24.667       d17
18             ∞        0.500      1.51633       64.1
19             ∞        0.620
20             ∞        0.500      1.51633       64.1
21             ∞          -
＊は回転対称非球面である。
（表１４）
各種データ
ズーム比（変倍比）    2.88
短焦点距離端          中間焦点距離          長焦点距離端
FNO.            2.8                   3.7                   4.5
f              5.14                 10.01                 14.81
W              46.2                  25.4                  17.5
Y              4.65                  4.65                  4.65
fB             0.53                  0.53                  0.53
L             62.07                 51.89                 51.96
d9           22.064                 6.370                 1.000
d17           9.004                14.520                19.959
（表１５）
非球面データ（表示していない非球面係数は0.00である）
面番号   K            A4             A6             A8
3      0.000    -0.7761E-04    -0.1597E-06    -0.5268E-08
11     0.000    -0.8177E-04    -0.1170E-05
12     0.000     0.3629E-03    -0.7950E-05     0.2269E-06
16     0.000     0.6701E-03    -0.2037E-04
17     0.000     0.7333E-03     0.2848E-05
（表１６）
レンズ群データ
群          始面          焦点距離
1              1            -12.10
2             11             13.70
【００５４】
［数値実施例５］
図２５〜図３０と表１７〜表２０は、本発明によるズームレンズ系の数値実施例５を示している。図２５は長焦点距離端における無限遠合焦時のレンズ構成図、図２６はその縦収差図、図２７はその横収差図であり、図２８は短焦点距離端における無限遠合焦時のレンズ構成図、図２９はその縦収差図、図３０はその横収差図である。表１７は面データ、表１８は各種データ、表１９は非球面データ、表２０はレンズ群データである。
【００５５】
この数値実施例５のレンズ構成は、数値実施例３のレンズ構成と同様である。
【００５６】
（表１７）
面データ
面番号          r          d          N(d)        νｄ
1            22.339      1.640      1.77250       49.6
2            14.420      0.200      1.52972       42.7
3*           11.978      1.440
4            17.550      1.200      1.80420       46.5
5             8.600      3.860
6          -447.347      1.200      1.77250       49.6
7            12.800      2.763
8            16.900      2.529      1.84666       23.8
9            68.597        d9
10絞           ∞        1.000
11*           7.991      5.220      1.49700       81.6
12*         -33.330      0.280
13           14.372      2.420      1.49700       81.6
14          -16.821      2.020      1.83400       37.3
15            9.930      0.390
16*          15.811      2.290      1.55332       71.7
17*         -20.704       d17
18             ∞        0.500      1.51633       64.1
19             ∞        0.620
20             ∞        0.500      1.51633       64.1
21             ∞          -
＊は回転対称非球面である。
（表１８）
各種データ
ズーム比（変倍比）    2.89
短焦点距離端          中間焦点距離          長焦点距離端
FNO.            2.8                   3.7                   4.6
f              5.14                 10.00                 14.86
W              46.2                  25.5                  17.5
Y              4.65                  4.65                  4.65
fB             0.53                  0.53                  0.53
L             62.02                 53.16                 53.91
d9           21.728                 7.057                 1.988
d17           9.687                15.505                21.317
（表１９）
非球面データ（表示していない非球面係数は0.00である）
面番号   K            A4             A6             A8
3      0.000    -0.6621E-04    -0.1494E-06    -0.4856E-08
11     0.000    -0.6786E-04    -0.9051E-06
12     0.000     0.3234E-03    -0.5863E-05     0.1604E-06
16     0.000     0.4793E-03    -0.1440E-04
17     0.000     0.5626E-03     0.2871E-05
（表２０）
レンズ群データ
群          始面          焦点距離
1              1            -11.39
2             11             13.62
【００５７】
［数値実施例６］
図３１〜図３６と表２１〜表２４は、本発明によるズームレンズ系の数値実施例６を示している。図３１は長焦点距離端における無限遠合焦時のレンズ構成図、図３２はその縦収差図、図３３はその横収差図であり、図３４は短焦点距離端における無限遠合焦時のレンズ構成図、図３５はその縦収差図、図３６はその横収差図である。表２１は面データ、表２２は各種データ、表２３は非球面データ、表２４はレンズ群データである。
【００５８】
この数値実施例６のレンズ構成は、数値実施例３のレンズ構成と同様である。
【００５９】
（表２１）
面データ
面番号          r          d          N(d)        νｄ
1            20.310      1.637      1.80400       39.7
2            15.604      0.200      1.52972       42.7
3*           12.698      1.505
4            18.240      1.200      1.83481       41.5
5             8.984      4.375
6           -70.473      1.518      1.77250       49.6
7            13.085      3.000
8            19.220      2.562      1.84666       23.8
9           163.157        d9
10絞           ∞        1.000
11*           8.612      5.110      1.49700       81.6
12*         -47.815      0.297
13           16.646      3.694      1.49700       81.6
14          -14.006      2.020      1.83400       37.3
15           11.153      0.278
16*          14.185      2.410      1.55332       71.7
17*         -19.638       d17
18             ∞        0.500      1.51633       64.1
19             ∞        0.620
20             ∞        0.500      1.51633       64.1
21             ∞          -
＊は回転対称非球面である。
（表２２）
各種データ
ズーム比（変倍比）    2.90
短焦点距離端          中間焦点距離          長焦点距離端
FNO.            2.8                   3.6                   4.5
f              5.14                 10.01                 14.89
W              46.0                  25.4                  17.5
Y              4.65                  4.65                  4.65
fB             0.53                  0.53                  0.53
L             67.12                 56.97                 57.40
d9           24.161                 8.022                 2.432
d17           9.998                15.997                22.015
（表２３）
非球面データ（表示していない非球面係数は0.00である）
面番号   K            A4             A6             A8
3      0.000    -0.6151E-04    -0.1687E-06    -0.2832E-08
11     0.000    -0.4515E-04    -0.6491E-06
12     0.000     0.2141E-03    -0.3737E-05     0.9595E-07
16     0.000     0.3267E-03    -0.6583E-05
17     0.000     0.4926E-03     0.5546E-05
（表２４）
レンズ群データ
群          始面          焦点距離
1              1            -11.76
2             11             14.50
【００６０】
［数値実施例７］
図３７〜図４２と表２５〜表２８は、本発明によるズームレンズ系の数値実施例７を示している。図３７は長焦点距離端における無限遠合焦時のレンズ構成図、図３８はその縦収差図、図３９はその横収差図であり、図４０は短焦点距離端における無限遠合焦時のレンズ構成図、図４１はその縦収差図、図４２はその横収差図である。表２５は面データ、表２６は各種データ、表２７は非球面データ、表２８はレンズ群データである。
【００６１】
この数値実施例７のレンズ構成は、以下の点を除き、数値実施例１のレンズ構成と同様である。
（１）第１ａレンズ群Ｇ１ａの負メニスカスレンズ１１が球面レンズである（ハイブリッドレンズではない）。
（２）第１ａレンズ群Ｇ１ａの負メニスカスレンズ１２の両面が非球面である。
（３）第２レンズ群Ｇ２が、物体側から順に、物体側に凸の正メニスカスレンズ２１’、両凸正レンズ２２’、物体側から順に位置する両凸正レンズ２３’と両凹負レンズ２４’の接合レンズ、及び両凸正レンズ２５’からなる。両凸正レンズ２２’と両凸正レンズ２５’はともにその両面が非球面である。
【００６２】
（表２５）
面データ
面番号          r          d          N(d)        νｄ
1            23.830      1.637      1.77250       49.6
2            11.916      2.427
3*           35.080      1.200      1.75501       51.2
4*           10.970      2.422
5            54.804      1.200      1.72916       54.7
6            13.355      4.078
7            19.133      2.326      1.84666       23.8
8            56.141        d8
9絞            ∞        1.000
10            7.183      2.148      1.48749       70.4
11           61.161      0.500
12*          20.601      1.697      1.49700       81.6
13*         -41.681      0.262
14           20.230      2.463      1.49700       81.6
15           -7.342      1.000      1.80610       40.7
16           10.740      0.610
17*          19.100      1.717      1.55332       71.7
18*         -19.802       d18
19             ∞        0.550      1.51680       64.2
20             ∞        2.020
21             ∞        0.500      1.51680       64.2
22             ∞          -
＊は回転対称非球面である。
（表２６）
各種データ
ズーム比（変倍比）    2.89
短焦点距離端          中間焦点距離          長焦点距離端
FNO.            2.8                   4.6                   4.5
f              5.14                 10.01                 14.86
W              46.5                  25.6                  17.6
Y              4.65                  4.65                  4.65
fB             0.53                  0.53                  0.53
L             62.04                 51.47                 51.41
d8           23.214                 7.158                 1.625
d18           8.541                14.028                19.494
（表２７）
非球面データ（表示していない非球面係数は0.00である）
面番号   K            A4             A6             A8
3      0.000     0.6249E-04
4      0.000     0.3620E-04
12     0.000    -0.5518E-03    -0.2019E-04
13     0.000    -0.4738E-03    -0.2935E-04     0.4923E-06
17     0.000     0.4300E-03    -0.1017E-04
18     0.000     0.8541E-03     0.1609E-04
（表２８）
レンズ群データ
群          始面          焦点距離
1              1            -12.27
2             10             13.83
【００６３】
［数値実施例８］
図４３〜図４８と表２９〜表３２は、本発明によるズームレンズ系の数値実施例８を示している。図４３は長焦点距離端における無限遠合焦時のレンズ構成図、図４４はその縦収差図、図４５はその横収差図であり、図４６は短焦点距離端における無限遠合焦時のレンズ構成図、図４７はその縦収差図、図４８はその横収差図である。表２９は面データ、表３０は各種データ、表３１は非球面データ、表３２はレンズ群データである。
【００６４】
この数値実施例８のレンズ構成は、数値実施例３のレンズ構成と同様である。
【００６５】
（表２９）
面データ
面番号          r          d          N(d)        νｄ
1            25.697      1.637      1.77250       49.6
2            14.523      0.200      1.52972       42.7
3*           12.085      0.480
4            14.171      1.200      1.80420       46.5
5             8.837      3.906
6          -291.177      1.200      1.77250       49.6
7            12.932      3.973
8            19.885      2.370      1.84666       23.8
9            76.387        d9
10絞           ∞        1.000
11*           7.720      5.675      1.49700       81.6
12*         -35.514      0.286
13           13.352      2.597      1.49700       81.6
14          -14.630      2.020      1.83400       37.3
15            9.410      0.413
16*          15.972      1.856      1.55332       71.7
17*         -20.979       d17
18             ∞        0.550      1.51633       64.1
19             ∞        2.020
20             ∞        0.500      1.51633       64.1
21             ∞          -
＊は回転対称非球面である。
（表３０）
各種データ
ズーム比（変倍比）    2.89
短焦点距離端          中間焦点距離          長焦点距離端
FNO.            2.8                   3.7                   4.5
f              5.14                 10.01                 14.86
W              46.0                  25.4                  17.5
Y              4.65                  4.65                  4.65
fB             0.53                  0.53                  0.53
L             62.05                 51.99                 52.09
d9           22.178                 6.634                 1.277
d17           7.461                12.940                18.400
（表３１）
非球面データ（表示していない非球面係数は0.00である）
面番号   K            A4             A6             A8
3      0.000    -0.7795E-04    -0.1683E-06    -0.4214E-08
11     0.000    -0.7397E-04    -0.3595E-06
12     0.000     0.3652E-03    -0.5995E-05     0.2598E-06
16     0.000     0.5956E-03    -0.1834E-04
17     0.000     0.6814E-03     0.1502E-05
（表３２）
レンズ群データ
群          始面          焦点距離
1              1            -12.08
2             11             13.59
【００６６】
［数値実施例９］
図４９〜図５４と表３３〜表３６は、本発明によるズームレンズ系の数値実施例９を示している。図４９は長焦点距離端における無限遠合焦時のレンズ構成図、図５０はその縦収差図、図５１はその横収差図であり、図５２は短焦点距離端における無限遠合焦時のレンズ構成図、図５３はその縦収差図、図５４はその横収差図である。表３３は面データ、表３４は各種データ、表３５は非球面データ、表３６はレンズ群データである。
【００６７】
この数値実施例９のレンズ構成は、以下の点を除き、数値実施例１のレンズ構成と同様である。
（１）第２レンズ群Ｇ２が、物体側から順に、物体側に凸の正メニスカスレンズ２１’、両凸正レンズ２２’、物体側から順に位置する両凸正レンズ２３’と両凹負レンズ２４’の接合レンズ、及び両凸正レンズ２５’からなる。両凸正レンズ２２’と両凸正レンズ２５’はともにその両面が非球面である。
【００６８】
（表３３）
面データ
面番号          r          d          N(d)        νｄ
1            24.013      1.637      1.77250       49.6
2            14.571      0.200      1.52972       42.7
3*           11.842      1.683
4            19.641      1.200      1.80420       46.5
5             9.766      2.985
6           118.199      1.200      1.77250       49.6
7            11.391      3.494
8            17.332      2.489      1.84666       23.8
9            62.012        d9
10絞           ∞        1.000
11            8.814      1.943      1.48749       70.4
12          110.518      0.500
13*          19.869      1.600      1.49700       81.6
14*        -135.131      0.292
15           14.345      2.602      1.49700       81.6
16          -11.350      3.048      1.80610       40.7
17            7.191      0.312
18*           8.878      2.224      1.55332       71.7
19*         -20.499       d19
20             ∞        0.500      1.51633       64.1
21             ∞        0.620
22             ∞        0.500      1.51633       64.1
23             ∞          -
＊は回転対称非球面である。
（表３４）
各種データ
ズーム比（変倍比）    2.88
短焦点距離端          中間焦点距離          長焦点距離端
FNO.            2.8                   3.6                   4.5
f              5.14                 10.00                 14.81
W              45.7                  25.3                  17.5
Y              4.65                  4.65                  4.65
fB             0.53                  0.53                  0.53
L             62.01                 52.41                 52.72
d9           22.329                 7.129                 1.913
d19           9.127                14.721                20.252
（表３５）
非球面データ（表示していない非球面係数は0.00である）
面番号   K            A4             A6             A8
3      0.000    -0.7476E-04    -0.1420E-06    -0.5522E-08
13     0.000    -0.2224E-03    -0.8780E-05
14     0.000    -0.1259E-03    -0.1301E-04     0.1531E-06
18     0.000     0.3293E-03    -0.1557E-05
19     0.000     0.5540E-03     0.1037E-04
（表３６）
レンズ群データ
群          始面          焦点距離
1              1            -11.82
2             11             13.60
【００６９】
各数値実施例の各条件式に対する値を表３７に示す。
（表３７）
実施例１   実施例２   実施例３   実施例４   実施例５
条件式（１）  -0.47      -0.62      -0.71      -0.47      -0.60
条件式（２）  -4.84      -3.72      -3.59      -4.82      -3.94
条件式（３）  -1.58      -3.00      -3.41      -1.17      -2.16
実施例６   実施例７   実施例８   実施例９
条件式（１）  -0.79      -0.49      -0.59      -0.56
条件式（２）  -3.91      -4.47      -4.31      -4.03
条件式（３）  -3.21      -1.43      -1.53      -1.79
【００７０】
表３７から明らかなように、数値実施例１〜数値実施例９は、条件式（１）ないし（３）を満足しており、また諸収差図から明らかなように諸収差は比較的よく補正されている。
【符号の説明】
【００７１】
Ｇ１  負の屈折力の第１レンズ群
Ｇ１ａ  負の屈折力の第１ａレンズ群
１１  負レンズ（像側に凹の負レンズ）
１２  負レンズ（像側に凹の負レンズ）
１３  負レンズ（像側に凹の負レンズ）
Ｇ１ｂ  正の屈折力の第１ｂレンズ群
１４  正単レンズ
Ｇ２  正の屈折力の第２レンズ群
２１  正レンズ
２２  正レンズ
２３  負レンズ
２４  正レンズ
２１’  正レンズ
２２’  正レンズ
２３’  正レンズ
２４’  負レンズ
２５’  正レンズ
Ｓ  絞り
ＯＰ  光学フィルタ
ＣＧ  カバーガラス
Ｉ  像面
【図１】
0005724639.tif 000002
【図２】
0005724639.tif 000003
【図３】
0005724639.tif 000004
【図４】
0005724639.tif 000005
【図５】
0005724639.tif 000006
【図６】
0005724639.tif 000007
【図７】
0005724639.tif 000008
【図８】
0005724639.tif 000009
【図９】
0005724639.tif 000010
【図１０】
0005724639.tif 000011
【図１１】
0005724639.tif 000012
【図１２】
0005724639.tif 000013
【図１３】
0005724639.tif 000014
【図１４】
0005724639.tif 000015
【図１５】
0005724639.tif 000016
【図１６】
0005724639.tif 000017
【図１７】
0005724639.tif 000018
【図１８】
0005724639.tif 000019
【図１９】
0005724639.tif 000020
【図２０】
0005724639.tif 000021
【図２１】
0005724639.tif 000022
【図２２】
0005724639.tif 000023
【図２３】
0005724639.tif 000024
【図２４】
0005724639.tif 000025
【図２５】
0005724639.tif 000026
【図２６】
0005724639.tif 000027
【図２７】
0005724639.tif 000028
【図２８】
0005724639.tif 000029
【図２９】
0005724639.tif 000030
【図３０】
0005724639.tif 000031
【図３１】
0005724639.tif 000032
【図３２】
0005724639.tif 000033
【図３３】
0005724639.tif 000034
【図３４】
0005724639.tif 000035
【図３５】
0005724639.tif 000036
【図３６】
0005724639.tif 000037
【図３７】
0005724639.tif 000038
【図３８】
0005724639.tif 000039
【図３９】
0005724639.tif 000040
【図４０】
0005724639.tif 000041
【図４１】
0005724639.tif 000042
【図４２】
0005724639.tif 000043
【図４３】
0005724639.tif 000044
【図４４】
0005724639.tif 000045
【図４５】
0005724639.tif 000046
【図４６】
0005724639.tif 000047
【図４７】
0005724639.tif 000048
【図４８】
0005724639.tif 000049
【図４９】
0005724639.tif 000050
【図５０】
0005724639.tif 000051
【図５１】
0005724639.tif 000052
【図５２】
0005724639.tif 000053
【図５３】
0005724639.tif 000054
【図５４】
0005724639.tif 000055
【図５５】
0005724639.tif 000056